【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
被写体を撮影する撮影手段と、
撮影シーンを検知する検知手段と、
前記検知手段により検知された撮影シーンで撮影された画像の被写体別の撮影量を記憶する記憶手段と、
前記記憶手段に記憶されている撮影量に基づいて、当該撮影量が所定下限値を下回る被写体を特定する特定手段と、
前記特定手段により特定された被写体を撮影するよう前記撮影手段を制御する撮影制御手段と、
を備えたことを特徴とする撮影装置。
【請求項２】
前記特定手段により特定された被写体に合焦する合焦手段と、を更に備え、
前記撮影制御手段は、前記合焦手段により合焦された被写体を前記撮影手段に撮影させることを特徴とする請求項１記載の撮影装置。
【請求項３】
前記特定手段により特定された被写体の位置をズーム中心位置としてデジタルズームをするデジタルズーム手段とを更に備え、
前記撮影制御手段は、前記特定された被写体の位置をズーム中心位置として前記デジタルズーム手段にデジタルズームさせ、前記撮影手段により前記特定された被写体を撮影させるよう制御することを特徴とする請求項１に記載の撮影装置。
【請求項４】
現在時刻情報を取得する第１の取得手段を更に備え、
前記記憶手段は、前記被写体別の撮影量に対応付けて、更に、前記撮影シーンの撮影された時の時間帯情報を記憶し、
前記検知手段は、前記第１の取得手段により取得された現在時刻情報と前記記憶手段により記憶された前記撮影シーンの時間帯情報とに基づき、現在の撮影シーンを検知することを特徴とする請求項１から３のいずれか一項に記載の撮影装置。
【請求項５】
本撮影装置の現在位置情報を取得する第２の取得手段を更に備え、
前記記憶手段は、前記被写体別の撮影量に対応付けて、更に、前記撮影シーンの撮影された時の位置情報を記憶し、
前記検知手段は、前記第２の取得手段により取得された現在位置情報と前記記憶手段により記憶された前記撮影シーンの位置情報とに基づき、現在の撮影シーンを検知することを特徴とする請求項１から３のいずれか一項に記載の撮影装置。
【請求項６】
前記第２の取得手段により取得された現在位置情報と前記記憶手段により記憶された撮影シーンの位置情報とに基づき、前記現在位置情報が前記撮影シーンを逸脱しているか否かを判別する判別手段と、
前記判別手段により前記現在位置情報が前記撮影シーンを逸脱していると判別された場合に、前記現在位置情報に基づき、前記記憶手段に新たな撮影シーンを追加する撮影シーン追加手段と、
を更に備えることを特徴とする請求項５に記載の撮影装置。
【請求項７】
前記特定手段により特定された被写体の撮影量が前記所定下限値を下回っているという旨を表示又は音の少なくとも一つにより報知する報知手段と、
を更に備えることを特徴とする請求項１から６のいずれか一項に記載の撮影装置。
【請求項８】
前記被写体の撮影量とは、撮影された被写体の撮影回数であることを特徴とする請求項２から７のいずれか一項に記載の撮影装置。
【請求項９】
前記被写体の撮影量とは、撮影された被写体の記録時間であることを特徴とする請求項２から７のいずれか一項に記載の撮影装置。
【請求項１０】
被写体を撮影する撮影手段と、前撮影シーンを検知する検知手段と、前記検知手段により検知された撮影シーンで撮影された画像の被写体別の撮影量を記憶する記憶手段と、を備えた撮影装置の撮影制御方法であって、
前記記憶手段に記憶されている撮影量に基づいて、当該撮影量が所定下限値を下回る被写体を特定する特定ステップと、
前記特定ステップにて特定された被写体を撮影するよう前記撮影手段を制御する撮影制御ステップと、
を含むことを特徴とする撮影制御方法。
【請求項１１】
被写体を撮影する撮影手段、撮影シーンを検知する検知手段と、前記検知手段により検知された撮影シーンで撮影された画像の被写体別の撮影量を記憶する記憶手段と、を備えた撮影装置のコンピュータを、
前記記憶手段に記憶されている撮影量に基づいて、当該撮影量が所定下限値を下回る被写体を特定する特定手段、
前記特定手段により特定された被写体を撮影するよう前記撮影手段を制御する撮影制御手段、
として機能させることを特徴とするプログラム
【手続補正２】
【補正対象書類名】明細書
【補正対象項目名】発明の名称
【補正方法】変更
【補正の内容】
【発明の名称】撮影装置、撮影制御方法及びプログラム
【手続補正３】
【補正対象書類名】明細書
【補正対象項目名】０００１
【補正方法】変更
【補正の内容】
【０００１】
本発明は、撮影装置、撮影制御方法及びプログラムに関する。
【手続補正４】
【補正対象書類名】明細書
【補正対象項目名】０００６
【補正方法】変更
【補正の内容】
【０００６】
上記課題を解決するために、請求項１に記載の撮影装置は、被写体を撮影する撮影手段と、撮影シーンを検知する検知手段と、前記検知手段により検知された撮影シーンで撮影された画像の被写体別の撮影量を記憶する記憶手段と、前記記憶手段に記憶されている撮影量に基づいて、当該撮影量が所定下限値を下回る被写体を特定する特定手段と、前記特定手段により特定された被写体を撮影するよう前記撮影手段を制御する撮影制御手段と、を備えたことを特徴とする。
【手続補正５】
【補正対象書類名】明細書
【補正対象項目名】０００７
【補正方法】変更
【補正の内容】
【０００７】
また、請求項２に記載の発明は、請求項１に記載の撮影装置において、前記特定手段により特定された被写体に合焦する合焦手段と、を更に備え、前記撮影制御手段は、前記合焦手段により合焦された被写体を前記撮影手段に撮影させることを特徴とする。
【手続補正６】
【補正対象書類名】明細書
【補正対象項目名】０００８
【補正方法】変更
【補正の内容】
【０００８】
また、請求項３に記載の発明は、請求項１に記載の撮影装置において、前記特定手段により特定された被写体の位置をズーム中心位置としてデジタルズームをするデジタルズーム手段とを更に備え、前記撮影制御手段は、前記特定された被写体の位置をズーム中心位置として前記デジタルズーム手段にデジタルズームさせ、前記撮影手段により前記特定された被写体を撮影させるよう制御することを特徴とする。
【手続補正７】
【補正対象書類名】明細書
【補正対象項目名】０００９
【補正方法】変更
【補正の内容】
【０００９】
また、請求項４に記載の発明は、請求項１から３のいずれか一項に記載の撮影装置において、現在時刻情報を取得する第１の取得手段を更に備え、前記記憶手段は、前記被写体別の撮影量に対応付けて、更に、前記撮影シーンの撮影された時の時間帯情報を記憶し、前記検知手段は、前記第１の取得手段により取得された現在時刻情報と前記記憶手段により記憶された前記撮影シーンの時間帯情報とに基づき、現在の撮影シーンを検知することを特徴とする。
【手続補正８】
【補正対象書類名】明細書
【補正対象項目名】００１０
【補正方法】変更
【補正の内容】
【００１０】
また、請求項５に記載の発明は、請求項１から３のいずれか一項に記載の撮影装置において、本撮影装置の現在位置情報を取得する第２の取得手段を更に備え、前記記憶手段は、前記被写体別の撮影量に対応付けて、更に、前記撮影シーンの撮影された時の位置情報を記憶し、前記検知手段は、前記第２の取得手段により取得された現在位置情報と前記記憶手段により記憶された前記撮影シーンの位置情報とに基づき、現在の撮影シーンを検知することを特徴とする。
【手続補正９】
【補正対象書類名】明細書
【補正対象項目名】００１１
【補正方法】変更
【補正の内容】
【００１１】
また、請求項６に記載の発明は、請求項５に記載の撮影装置において、前記第２の取得手段により取得された現在位置情報と前記記憶手段により記憶された撮影シーンの位置情報とに基づき、前記現在位置情報が前記撮影シーンを逸脱しているか否かを判別する判別手段と、前記判別手段により前記現在位置情報が前記撮影シーンを逸脱していると判別された場合に、前記現在位置情報に基づき、前記記憶手段に新たな撮影シーンを追加する撮影シーン追加手段と、を更に備えることを特徴とする。
【手続補正１０】
【補正対象書類名】明細書
【補正対象項目名】００１２
【補正方法】変更
【補正の内容】
【００１２】
また、請求項７に記載の発明は、請求項１から６のいずれか一項に記載の撮影装置において、前記特定手段により特定された被写体の撮影量が前記所定下限値を下回っているという旨を表示又は音の少なくとも一つにより報知する報知手段と、を更に備えることを特徴とする。
【手続補正１１】
【補正対象書類名】明細書
【補正対象項目名】００１３
【補正方法】変更
【補正の内容】
【００１３】
また、請求項８に記載の発明は、請求項２から７のいずれか一項に記載の撮影装置において、前記被写体の撮影量とは、撮影された被写体の撮影回数であることを特徴とする。
【手続補正１２】
【補正対象書類名】明細書
【補正対象項目名】００１４
【補正方法】変更
【補正の内容】
【００１４】
また、請求項９に記載の発明は、請求項２から７のいずれか一項に記載の撮影装置において、前記被写体の撮影量とは、撮影された被写体の記録時間であることを特徴とする。
【手続補正１３】
【補正対象書類名】明細書
【補正対象項目名】００１５
【補正方法】変更
【補正の内容】
【００１５】
また、請求項１０に記載の発明は、被写体を撮影する撮影手段と、前撮影シーンを検知する検知手段と、前記検知手段により検知された撮影シーンで撮影された画像の被写体別の撮影量を記憶する記憶手段と、を備えた撮影装置の撮影制御方法であって、前記記憶手段に記憶されている撮影量に基づいて、当該撮影量が所定下限値を下回る被写体を特定する特定ステップと、前記特定ステップにて特定された被写体を撮影するよう前記撮影手段を制御する撮影制御ステップと、を含むことを特徴とする。
【手続補正１４】
【補正対象書類名】明細書
【補正対象項目名】００１６
【補正方法】変更
【補正の内容】
【００１６】
また、請求項１１に記載の発明は、被写体を撮影する撮影手段、撮影シーンを検知する検知手段と、前記検知手段により検知された撮影シーンで撮影された画像の被写体別の撮影量を記憶する記憶手段と、を備えた撮影装置のコンピュータを、前記記憶手段に記憶されている撮影量に基づいて、当該撮影量が所定下限値を下回る被写体を特定する特定手段、前記特定手段により特定された被写体を撮影するよう前記撮影手段を制御する撮影制御手段、として機能させることを特徴とする。